(57)【特許請求の範囲】
【請求項１】
前面が開口した外箱と、
前記外箱の内部に画成された商品収容庫の背壁に沿って配設された背断熱材と、
前記商品収容庫の側壁に沿って配設され、後端面が前記背断熱材に当接する側断熱材と、
前記側断熱材の前方に圧縮した状態で配設され、前記側断熱材に復元力が作用する弾性断熱材と、
前記外箱の前面開口に沿って取り付けられ、前記外箱の内方に延在した後に後方に延在する断熱材取付部が前記弾性断熱材と前記側断熱材の内壁面前縁とを覆う補強フレームと
を備えたことを特徴とする自動販売機の本体キャビネット。
【請求項２】
前記断熱材取付部に取り付けられ、前記断熱材取付部の後方に延在した部分を覆うとともに、内扉と協働して商品収容庫の気密を保持する化粧枠を備えたことを特徴とする請求項１に記載の自動販売機の本体キャビネット。
【請求項３】
前記化粧枠は、前記断熱材取付部に取り付けた場合に前記断熱材取付部との間に空気層を形成する凸条を取付面に有することを特徴とする請求項２に記載の自動販売機の本体キャビネット。
【請求項４】
前記化粧枠は、前記断熱材取付部の後端部と係合する係合部を有することを特徴とする請求項２または３に記載の自動販売機の本体キャビネット。
【発明の詳細な説明】
【技術分野】
【０００１】
本発明は、冷蔵あるいは温蔵した商品を販売する自動販売機に適用する自動販売機の本体キャビネットに関するものである。
【背景技術】
【０００２】
図７は、従来から知られている自動販売機の本体キャビネットの開口部の拡大平断面図である。自動販売機の本体キャビネット１０１は、外箱をなす背板と側板１０２とに沿って断熱材１０３が配設してある。側板１０２に沿って配設した断熱材１０３は側板１０２に取り付けた補強フレーム１０４により固定され、背板に沿って配設した断熱材は側板１０２に沿って配設した断熱材１０３の端面が当接することにより固定されている。
【０００３】
補強フレーム１０４には、化粧枠１０５が取り付けてある。補強フレーム１０４は鋼板を折り曲げたものであり、側板１０２に沿って延在した後に内側に延在し、さらに奥方に延在している。化粧枠１０５は、内扉１０６を閉塞した場合に本体キャビネット１０１を密閉するものであり、取付部１０５ａとシール部１０５ｂとを有している。取付部１０５ａは、補強フレーム１０４に沿って延在する断面がＬ字状となる基部１０５ａ１と、基部１０５ａ１から延在し、補強フレーム１０４の延在端部１０４ａに係合する係合部１０５ａ２とを有している。この化粧枠１０５を補強フレーム１０４に取り付けると、化粧枠１０５は補強フレーム１０４と密着し、内扉１０６を閉塞した場合に化粧枠１０５のシール部１０５ｂと協働して本体キャビネット１０１を密閉する（例えば、特許文献１参照）。
【０００４】
【特許文献１】特開２００４−１２７２３２号公報
【発明の開示】
【発明が解決しようとする課題】
【０００５】
しかしながら、上述した自動販売機の本体キャビネット１０１は、外箱をなす背板に沿って配設した断熱材は側板１０２に沿って配設した断熱材１０３の端面が当接することにより固定されているため、側板１０２に沿って配設した断熱材１０３と背板に沿って配設した断熱材との間に隙間が生じることにより、自動販売機の本体キャビネット１０１の断熱性能を損なう事態が生じていた。
【０００６】
また、化粧枠１０５と補強フレーム１０４とが密着するので、自動販売機の本体キャビネット１０１の内部の熱は化粧枠１０５から直に補強フレーム１０４に伝達され、自動販売機の本体キャビネット１０１の熱遮断性能を損なう事態が生じていた。
【０００７】
本発明は、上記実情に鑑みて、側板に沿って配設した断熱材と背板に沿って配設した断熱材とを密着させて、断熱性能を向上した自動販売機の本体キャビネットを提供することを目的とする。
【０００８】
また、本発明は、上記実情に鑑みて、化粧枠と補強フレームとの間で熱伝達を抑制できる自動販売機の本体キャビネットを提供することを目的とする。
【課題を解決するための手段】
【０００９】
上記の目的を達成するために、本発明の請求項１にかかる自動販売機の本体キャビネットは、前面が開口した外箱と、前記外箱の内部に画成された商品収容庫の背壁に沿って配設された背断熱材と、前記商品収容庫の側壁に沿って配設され、後端面が前記背断熱材に当接する側断熱材と、前記側断熱材の前方に圧縮した状態で配設され、前記側断熱材に復元力が作用する弾性断熱材と、前記外箱の前面開口に沿って取り付けられ、前記外箱の内方に延在した後に後方に延在する断熱材取付部が前記弾性断熱材と前記側断熱材の内壁面前縁とを覆う補強フレームとを備えたことを特徴とする。
【００１０】
また、本発明の請求項２にかかる自動販売機の本体キャビネットは、上記請求項１において、前記断熱材取付部に取り付けられ、前記断熱材取付部の後方に延在した部分を覆うとともに、内扉と協働して商品収容庫の気密を保持する化粧枠を備えたことを特徴とする。
【００１１】
また、本発明の請求項３にかかる自動販売機の本体キャビネットは、上記請求項２において、前記化粧枠は、前記断熱材取付部に取り付けた場合に前記断熱材取付部との間に空気層を形成する凸条を取付面に有することを特徴とする。
【００１２】
また、本発明の請求項４にかかる自動販売機の本体キャビネットは、上記請求項２または３において、前記化粧枠は、前記断熱材取付部の後端部と係合する係合部を有することを特徴とする。
【発明の効果】
【００１３】
本発明にかかる自動販売機の本体キャビネットは、側断熱材の前方に圧縮した状態で配設され、側断熱材に復元力が作用する弾性断熱材と、外箱の前面開口に沿って取り付けられ、外箱の内容に延在した後に後方に延在する断熱材取付部が弾性断熱材と側断熱材の内壁面前縁とを覆う補強フレームを備えたので、側断熱材の後端面が商品収容庫の背壁に沿って配設された背断熱材と密着し、断熱性能が向上する。
【００１４】
また、化粧枠は、断熱材取付部に取り付けた場合に断熱材取付部との間に空気層を形成する凸条を取付面に有するので、本体キャビネットの内部の熱が空気層を介して化粧枠から補強フレームに伝達され、化粧枠と補強フレームとの間における熱伝達を抑制できる。
【００１５】
また、化粧枠は、断熱材取付部の後端部と係合する係合部を有するので、化粧枠をネジ等により補強フレームに締結しても、化粧枠の端部がめくれ上がることがない。
【発明を実施するための最良の形態】
【００１６】
以下に添付図面を参照して、本発明にかかる自動販売機の本体キャビネットの好適な実施例を詳細に説明する。なお、この実施例によりこの発明が限定されるものではない。
【実施例】
【００１７】
本発明の実施例にかかる自動販売機の本体キャビネットを図１〜図６に基づいて説明する。なお、図１は本発明の実施例にかかる自動販売機の本体キャビネットを適用した自動販売機を示す斜視図、図２は図１に示した本体キャビネットを示した平断面図である。本実施例に例示する自動販売機の本体キャビネットを適用した自動販売機は、缶入り飲料、ビン入り飲料、ペットボトル飲料を販売するためのもので、本体キャビネット１、内扉２および外扉３を備えている。
【００１８】
本体キャビネット１は、外箱１０を有している。外箱１０は、複数の鋼板を適宜組み合わせることにより構成したもので、前面が開口した直方体形状を有している。外箱１０には、内部を上下に仕切るように、床板１１が配設してある。そして、この床板１１の上方部に商品収容庫１２が構成される一方、該床板１１の下方に機械室１３が構成される。
【００１９】
内扉２および外扉３は、それぞれ本体キャビネット１の左側縁部に支承してある。内扉２は、本体キャビネット１に画成した商品収容庫１２の前面を覆うのに十分な大きさを有するもので、鋼材によって断熱性を備えて構成してある。図示の例では、内扉を上下に分割してそれぞれを個別に開閉可能としてある。この内扉２の下方部には、図１に示すように商品搬出口２１が形成してある。商品搬出口２１は、商品収容庫１２の外部に商品を搬出するためのものであり、この自動販売機が販売する商品の大きさよりもやや大きく形成してある。この商品搬出口２１は、フラッパ２２により閉塞してあり、商品がこのフラッパ２２を押し開くことにより、商品は、商品収容庫１２の外部に搬出される。
【００２０】
外扉３は、図１に示すように、本体キャビネット１の前面開口を覆うのに十分な大きさを有したもので、鋼材により堅牢に構成してある。この外扉３の下方部には、商品取出口３１が形成してある。この商品取出口３１は、販売した商品を利用者に受け渡すための開口である。
【００２１】
図２に示すように、商品収容庫１２の内部には複数の断熱材が配設してあり、本体キャビネット１は、断熱筐体を構成する。これらの断熱材のうち、商品収容庫１２の背壁をなす断熱材４１（以下「背断熱材４１」という）は、商品収容庫１２の背壁全域を覆うのに十分な大きさを有している。この背断熱材４１と後端面が当接するように、商品収容庫の側壁に沿って断熱材４２（以下「側断熱材４２」という）が配設してある。
【００２２】
図３は、内扉および外扉が支承してある本体キャビネットの開口部を示す拡大断面図である。図３に示すように、左側壁に沿って配設した側断熱材４２の手前内側部は、段差４２ａが生じるように切り欠いてあり、その前方には、側断熱材４２よりもやや薄い弾性断熱材４３が配設してある。この弾性断熱材４３は、たとえば、発泡ウレタンであり、弾性断熱材４３は復元力を有している。この弾性断熱材４３の前方、すなわち、外箱１０の前面開口には、補強フレーム５０が取り付けてある。
【００２３】
補強フレーム５０は、外箱１０を補強するものであり、鋼板を折り曲げて作製してある。補強フレーム５０は、外箱１０の側板に沿って延在しており、前端部５１が外箱１０の内方に延在するように、折り曲げてある。また、補強フレーム５０の略中央部には、補強部５２が形成してある。補強部５２は、断面がコの字となるように折り曲げた部分であり、外箱１０の内側に張り出すように形成してある。補強フレーム５０の後部には、断熱材取付部５３が形成してある。断熱材取付部５３は、断面がL字となるように折り曲げた部分であり、外箱１０の内方に延在した後に後方に延在するように形成してある。断熱材取付部５３は、外箱１０の側板との間に上述した弾性断熱材４３を配設した後に、側断熱材４２の段差４２ａを覆うことにより、予め圧縮した弾性断熱材４３の復元力が側断熱材４２に作用して、側断熱材４２と背断熱材４１とが密着することになる。
【００２４】
また、断熱材取付部５３には、化粧枠６０が取り付けてある。化粧枠６０は、商品収容庫１２の内部に補強フレーム５０が露出しないように、補強フレーム５０を覆うとともに、内扉２を閉塞した場合に、内扉２と協働して商品収容庫１２を密閉するものである。
【００２５】
図４は図３に示した化粧枠の拡大断面図である。図４に示すように、化粧枠６０には、断熱材取付部５３の後方に延在した部分を覆う取付部６１を有している。取付部６１は、断熱材取付部５３の後方に延在した部分と略同一の幅を有し、当該部分と対向する面（以下、「取付面」という）には、二つの凸条６１ａが形成してある。このため、補強フレーム５０と化粧枠６０との間には、空気層が形成されることになる。また、この凸条６１ａの前方にはシール部６１ｂが形成してある。シール部６１ｂは、軟質の材料で作製してあり、先端から外側斜め後方に向けて板状片６１ｃが延在している。
【００２６】
取付部６１の後方には、係合部６２および断熱材シール部６３が形成してある。係合部６２は、外側に延在した後に前方に延在した部分であり、補強フレーム５０の延在端部、すなわち断熱材取付部５３の後端部と係合可能である。断熱材シール部６３は、補強フレーム５０と側断熱材４２との間を被覆するものであり、軟質の材料で作製してある。
【００２７】
取付部６１の前方には、被覆部６４および内扉シール部６５が形成してある。被覆部６４は、断熱材取付部５３の内側に延在した部分を被覆する部分であり、外側斜め奥方に延在している。この被覆部６４の断熱材取付部５３と対向する面には、シール部６４ａが形成してある。このシール部６４ａは、軟質の材料で作製してあり、内部を中空な部屋に画成してある。
【００２８】
内扉シール部６５は、内扉２を閉塞した場合に内扉２と当接する部分であり、前方に延在し、内扉２と当接する面には、シール部６５ａが形成してある。このシール部６５ａは、軟質の材料で作製してあり、内部を三つの中空な部屋に画成してある。
【００２９】
このように形成した化粧枠６０は、引き抜き成型により一体に形成したものを商品収容庫１２の開口長にあわせて切断して作製される。そして、断熱材取付部５３の後端部に化粧枠６０の係合部を係合した後に、被覆部６４および内扉シール部６５を断熱材取付部５３に沿って押し込むことにより、仮止めされる。しかる後に、凸条６１ａ間の中央を貫通したネジ７を補強フレーム５０のネジ穴に螺合させることにより、化粧枠６０が補強フレーム５０に取り付けてある。なお、補強フレーム５０に形成したネジ穴の側部には、矩形のスリット（図示せず）が複数形成してある。このため、商品収納庫１２の内部の熱は、ネジ７および補強フレーム５０のスリットの周囲を経由して外箱１０に伝達されることになり、ネジ７と外箱１０との間における熱伝達を抑制できる。
【００３０】
図５は内扉および外扉の開口側となる本体キャビネットの開口部を示す拡大断面図、図６は図５に示した化粧枠の拡大断面図である。内扉２および外扉３の開口側となる本体キャビネットの右側開口端部は、上述した内扉２および外扉３が支承してある本体キャビネの左側開口端部と略対称なので、同一の符号を付して説明を省略する。なお、内扉２および外扉３の開口側となる本体キャビネット１に取り付けた化粧枠６０の内扉シール部６５は、前方に延在する代わりに、外方に延在している。
【００３１】
上述した自動販売機の本体キャビネットによれば、側板との間に予め圧縮した弾性断熱材４３を配設した後に補強フレーム５０を取り付けたので、弾性断熱材４３の復元力が側断熱材４２に作用して、側断熱材４２と背断熱材４１とが密着することになる。このため、側断熱材４２と背断熱材４１との間に隙間が生じることがなく、本体キャビネットの熱遮断性能を向上できる。この結果、本実施例にかかる自動販売機の本体キャビネットは、省エネルギーに資することになる。
【００３２】
また、化粧枠６０の取付部６１の取付面に二つの凸条６１ａを形成したので、化粧枠６０を補強フレーム５０との間に空気層を形成する。したがって、商品収容庫１２の内部の熱が外箱１０に直に伝達されることがない。この結果、本実施例にかかる自動販売機の本体キャビネットの熱遮断性能を向上できる。
【００３３】
さらに、補強フレーム５０に化粧枠６０をネジ止めした場合に、補強フレーム５０の後端部と化粧枠６０の係合部６２とが係合するので、化粧枠６０の後部がめくれ上がることがない。このため、化粧枠６０の後部と側断熱材４２との間に隙間が生じることがなく、本体キャビネットの熱遮断性能を向上できる。この結果、本実施例にかかる自動販売機の本体キャビネットは、省エネルギーに資することになる。
【産業上の利用可能性】
【００３４】
以上のように、本発明にかかる自動販売機の本体キャビネットは、温蔵した商品また冷蔵した商品を販売する自動販売機の本体キャビネットに有用であり、特に、開口部を断熱内扉で閉塞する自動販売機の本体キャビネットに適している。
【図面の簡単な説明】
【００３５】
【図１】本発明の実施例にかかる自動販売機の本体キャビネットを適用した自動販売機を示す斜視図である。
【図２】図１に示した自動販売機の本体キャビネットを示す平断面である。
【図３】内扉および外扉が支承してある本体キャビネットの開口部を示す拡大断面図である。
【図４】図３に示した化粧枠の拡大断面図である。
【図５】内扉および外扉の開口側となる本体キャビネットの開口部を示す拡大断面図である。
【図６】図５に示した化粧枠の拡大断面図である。
【図７】従来から知られている自動販売機の本体キャビネットの開口部の拡大断面図である。
【符号の説明】
【００３６】
１    本体キャビネット
２    内扉
３    外扉
７    ネジ
１０    外箱
１１    床板
１２    商品収容庫
４１    背断熱材
４２    側断熱材
４２ａ    段差
４３    弾性断熱材
５０    補強フレーム
５１    前端部
５２    補強部
５３    断熱材取付部
６０    化粧枠
６１    取付部
６１ａ    凸条
６１ｂ    シール部
６１ｃ    板状片
６２    係合部
６３    断熱材シール部
６４    被覆部
６４ａ    シール部
６５    内扉シール部
６５ａ    シール部
【図１】
0004492474.tif 000002
【図２】
0004492474.tif 000003
【図３】
0004492474.tif 000004
【図４】
0004492474.tif 000005
【図５】
0004492474.tif 000006
【図６】
0004492474.tif 000007
【図７】
0004492474.tif 000008